(57)【要約】【課題】光量の補正に起因した各発光素子の劣化を抑制する。【解決手段】バッファ３２１は、複数の発光素子Ｅの各々について補正値Ａaを記憶する。制御部３２５は、画像に含まれるひとつのラインの画素のうち画像データＧによって階調値「０」が指定される画素の個数Ｃaを計数し、この計数値Ｃaと閾値ＴＨaとの大小に応じて第１モードおよび第２モードの何れかを指定する。第１モードが指定されたラインについては、各発光素子Ｅが補正値Ａaと画像データＧとに応じた光量に制御され、第２モードが指定されたラインについては、各発光素子Ｅが画像データＧに応じた光量（補正値Ａaに依存しない光量）に制御される。【選択図】図１
2007196547.tif 000002
【特許請求の範囲】
【請求項１】
複数の発光素子と、
前記複数の発光素子の各々について第１補正値を記憶する第１記憶手段と、
画像に含まれる所定数の画素のうち画像データによって指定される階調値が所定の範囲
内にある画素の個数を計数する計数手段と、
前記計数手段による計数値と閾値との大小に応じて第１モードおよび第２モードの何れ
かを指定する指定手段と、
前記指定手段が第１モードを指定した場合に、前記所定数の画素に対応した各発光素子
を、前記第１記憶手段に記憶された第１補正値と各画素の画像データとに応じた光量で発
光させ、前記指定手段が第２モードを指定した場合に、前記所定数の画素に対応した各発
光素子を、各画素の画像データに応じた光量で発光させる駆動手段と
を具備する発光装置。
【請求項２】
前記駆動手段は、前記指定手段が第２モードを指定した場合に、前記所定数の画素に対
応した各発光素子を各画素の画像データのみに応じた光量で発光させる
請求項１に記載の発光装置。
【請求項３】
前記複数の発光素子の各々について第２補正値を記憶する第２記憶手段を具備し、
前記駆動手段は、前記指定手段が第２モードを指定した場合に、前記所定数の画素に対
応した各発光素子を、前記第２記憶手段に記憶された第２補正値と各画素の画像データと
に応じた光量で発光させる
請求項１に記載の発光装置。
【請求項４】
前記所定数の発光素子に同じ階調値が指定されたとき、第２モードによる発光時に各発
光素子の光量の分布する範囲が、第１モードによる発光時に各発光素子の光量が分布する
範囲よりも広くなるように、第１補正値および第２補正値が選定されている
請求項３に記載の発光装置。
【請求項５】
前記計数手段は、前記所定数の画素のうち発光素子の消灯に対応した階調値が画像デー
タによって指定される画素の個数を計数し、
前記指定手段は、前記計数手段による計数値が閾値を下回る場合には第１モードを指定
し、前記計数手段による計数値が閾値を上回る場合には第２モードを指定する
請求項１から請求項４の何れかに記載の発光装置。
【請求項６】
前記計数手段は、前記所定数の画素の各々を順次に選択し、この選択した画素について
発光素子の消灯に対応した階調値が指定された場合に計数値を増加し、
前記指定手段は、前記計数手段による計数値が閾値を上回った段階で第２モードを指定
する
請求項５に記載の発光装置。
【請求項７】
前記計数手段は、前記所定数の画素のうち発光素子の消灯に対応した階調値が指定され
る画素の個数を計数する第１計数手段と、前記所定数の画素のうち発光素子の点灯に対応
した階調値が指定される画素の連続する個数を計数する第２計数手段とを含み、
前記指定手段は、第１計数手段による計数値と第１閾値との大小、および、前記第２計
数手段による計数値と第２閾値との大小に応じて、第１モードおよび第２モードの何れか
を指定する
請求項１から請求項４の何れかに記載の発光装置。
【請求項８】
前記計数手段は、前記画像を区分した複数の領域の各々について、階調値が所定の範囲
内にある画素の個数を計数し、
前記指定手段は、前記複数の領域の各々について前記計数手段が計数した数値に基づい
て、前記領域ごとに第１モードおよび第２モードの何れかを指定する
請求項１から請求項７の何れかに記載の発光装置。
【請求項９】
前記画像は、各発光素子に対応する複数の画素が第１方向に配列されたラインを、前記
第１方向に交差する第２方向に配列してなり、
前記複数の領域の各々は、所定数のラインごとに前記画像を区分した領域である
請求項８に記載の発光装置。
【請求項１０】
請求項１から請求項９の何れかに記載の発光装置を具備する電子機器。
【請求項１１】
複数の発光素子の各々が画像データに応じた光量に制御される発光装置の画像処理装置
であって、
前記複数の発光素子の各々について第１補正値を記憶する第１記憶手段と、
画像に含まれる所定数の画素のうち画像データによって指定される階調値が所定の範囲
内にある画素の個数を計数する計数手段と、
前記計数手段による計数値と閾値との大小に応じて第１モードおよび第２モードの何れ
かを指定する指定手段と、
前記指定手段が第１モードを指定した場合に、前記所定数の画素の画像データを、前記
第１記憶手段に記憶された第１補正値に応じて補正してから前記発光装置に出力し、前記
指定手段が第２モードを指定した場合に、前記所定数の画素の画像データを、前記第１補
正値に応じた補正は実行することなく前記発光装置に出力する補正手段と
を具備する画像処理装置。
【発明の詳細な説明】
【技術分野】
【０００１】
本発明は、有機発光ダイオード（以下「ＯＬＥＤ（Organic Light Emitting Diode）」
という）素子などの発光素子の光量を制御する技術に関する。
【背景技術】
【０００２】
複数の発光素子が配列された発光装置においては、各発光素子の光量（輝度）のバラツ
キが問題となる。この問題を解決するために、例えば特許文献１には、各発光素子からの
放射光の光量を事前に測定し、この測定の結果に応じて各発光素子の光量を補正する技術
が開示されている。
【特許文献１】特開２００３−１１８１６３号公報
【発明の開示】
【発明が解決しようとする課題】
【０００３】
ところで、各発光素子の特性はこれに供給される電流量に応じた速度で劣化していく。
したがって、各発光素子に供給される電流量がその特性に応じて補正される特許文献１の
構成においては、発光素子ごとに特性の劣化の速度が相違する。例えば、発光効率が低い
発光素子にはこれに供給される電流を増加させる補正（すなわち光量を増大させる補正）
が実行されるから、発光効率が高い発光素子と比較して特性の劣化が速く進行する。そし
て、以上のように特性の劣化の速度が発光素子ごとに相違すると、各々の特性のバラツキ
が時間の経過とともに拡大していくという問題がある。このような事情に鑑みて、本発明
は、光量の補正に起因した各発光素子の劣化を抑制するという課題の解決を目的としてい
る。
【課題を解決するための手段】
【０００４】
以上の課題を解決するために、本発明に係る発光装置は、複数の発光素子と、複数の発
光素子の各々について第１補正値（例えば図１の補正値Ａa）を記憶する第１記憶手段（
例えば図１のＲＯＭ２６やバッファ３２１）と、画像に含まれる所定数の画素のうち画像
データによって指定される階調値が所定の範囲内にある画素の個数を計数する計数手段（
例えば図１の制御部３２５）と、計数手段による計数値と閾値との大小に応じて第１モー
ドおよび第２モードの何れかを指定する指定手段（例えば図１の制御部３２５）と、指定
手段が第１モードを指定した場合に、所定数の画素に対応した各発光素子を、第１記憶手
段に記憶された第１補正値と各画素の画像データとに応じた光量で発光させ、指定手段が
第２モードを指定した場合に、所定数の画素に対応した各発光素子を、各画素の画像デー
タに応じた光量で発光させる駆動手段（例えば図１の補正部３２７および駆動回路２４）
とを具備する。なお、本発明における「複数の発光素子」は、発光装置が備える発光素子
の全部であっても一部であってもよい。
【０００５】
以上の構成においては、所定数の画素のうち階調値が所定の範囲内にある画素の個数（
計数値Ｃa）と予め定められた閾値（閾値ＴＨa）との大小に応じて第１モードおよび第２
モードの何れかが選択的に指定される。第１モードが指定されると、各発光素子は第１補
正値に応じて補正された光量で発光する。したがって、各発光素子の特性に応じて第１補
正値を適切に選定することによって、各発光素子の光量（輝度）のバラツキを抑制するこ
とが可能である。一方、第２モードにおいては第１補正値に応じた光量の補正は実行され
ない。したがって、各発光素子の特性に応じて予め決定されたひとつの補正値に応じて各
発光素子の光量が固定的に補正される構成（すなわち、各画素の階調値に拘わらず、ひと
つの補正値によって発光素子の光量が強制的に補正される構成）と比較して、第１補正値
に応じた補正に起因した各発光素子の劣化を抑制することができる。
【０００６】
本発明の具体的な態様（以下「態様Ａ」という）において、駆動手段は、第２モードが
指定された場合に、所定数の画素に対応した各発光素子を各画素の画像データのみに応じ
た光量で発光させる。すなわち、所定数の画素について光量の補正は実行されない。この
態様Ａによれば、第２モードが指定された場合の駆動手段による処理が簡素化されるとい
う利点がある。なお、この態様Ａの具体例は第１実施形態および第２実施形態として後述
される。
【０００７】
本発明の別の態様（以下「態様Ｂ」という）においては、複数の発光素子の各々につい
て第２補正値を記憶する第２記憶手段（例えば図５のＲＯＭ２６やバッファ３２２）が設
置され、駆動手段は、第２モードが指定された場合に、所定数の画素に対応した各発光素
子を、第２記憶手段に記憶された第２補正値と各画素の画像データとに応じた光量で発光
させる。すなわち、第２モードにおいては、各発光素子の光量について第１モードとは異
なる補正の処理が実行される。この態様Ｂによれば、第１モードに加えて第２モードにお
いても各発光素子の光量のバラツキを抑制することができる。なお、この態様Ｂの具体例
は第３実施形態として後述される。
さらに好適には、所定数の発光素子に同じ階調値が指定されたとき、第２モードによる
発光時に各発光素子の光量の分布する範囲（例えば図６の範囲Ｒ2）が、第１モードによ
る発光時に各発光素子の光量が分布する範囲（例えば図６の範囲Ｒ1）よりも広くなるよ
うに、第１補正値および第２補正値が選定されている。すなわち、所定数の発光素子に同
じ階調値が指定されたときに、第１モードにおける各発光素子の光量の最大値と最小値と
の差分値が、第２モードにおける各発光素子の光量の最大値と最小値との差分値よりも小
さくなるように、第１補正値および第２補正値が選定される。この態様によれば、第１補
正値に起因した各発光素子の特性の劣化を抑制することが可能である。
【０００８】
本発明の具体的な態様において、駆動手段は、各画素の画像データを補正する補正手段
（例えば図１や図５の補正部３２７）とこの補正後の画像データに基づいて各発光素子を
発光させる駆動回路（例えば図１や図５の駆動回路２４）とを含む。補正手段は、第１モ
ードが指定された場合に、各画素の画像データと第１補正値とについて所定の演算（例え
ば画像データと第１補正値との加算）を実行し、この演算後の画像データを駆動回路に出
力する。また、態様Ａにおける補正手段は、第２モードが指定された場合に、各画素の画
像データをそのまま駆動回路に出力する。一方、態様Ｂにおける補正手段は、第２モード
が指定された場合に、各画素の画像データと第２補正値とについて所定の演算を実行し、
この演算後の画像データを駆動回路に出力する。駆動回路は、補正手段から出力された画
像データに応じたレベル（電流値や電圧値）またはパルス幅の駆動信号を出力することで
各発光素子を駆動する。
なお、本発明に係る発光装置は、各画素の画像データと第１補正値とに応じて各発光素
子を駆動する機能を備えていれば足り、画像データと第１補正値とを演算する手段を備え
る必要は必ずしもない。例えば、別の態様に係る駆動手段は、第１モードが指定されると
、画像データに応じた駆動信号（画像データに応じたレベルまたはパルス幅の駆動信号）
のレベルまたはパルス幅を第１補正値に応じて調整したうえで各発光素子に出力する。ま
た、態様Ａにおける駆動回路は、第２モードが指定された場合に、各画素の画像データの
みに応じたレベルまたはパルス幅の駆動信号を各発光素子に出力する。一方、態様Ｂにお
ける駆動回路は、第２モードが指定された場合に、各画素の画像データに応じた駆動信号
のレベルまたはパルス幅を第２補正値に応じて調整したうえで各発光素子に出力する。
【０００９】
本発明の第１の態様において、計数手段は、所定数の画素のうち発光素子の消灯に対応
した階調値（例えば以下の各実施形態における階調値「０」）が画像データによって指定
される画素の個数を計数し（例えば図２のステップＳa1ないしステップＳa6）、指定手段
は、計数手段による計数値が閾値を下回る場合には第１モードを指定し（例えば図２のス
テップＳa7）、計数手段による計数値が閾値を上回る場合には第２モードを指定する（例
えば図２のステップＳa5）。この態様によれば、各発光素子について発光素子の消灯に対
応した階調値が指定されたか否かの判定のみで足りるから、計数手段の構成が簡素化され
るという利点がある。なお、この態様の具体例は第１実施形態として後述される。
さらに好適な態様において、計数手段は、所定数の画素の各々を順次に選択し（例えば
図２のステップＳa1）、この選択した画素について発光素子の消灯に対応した階調値が指
定された場合に計数値を増加し（例えば図２のステップＳa3）、指定手段は、計数手段に
よる計数値が閾値を上回った段階で第２モードを指定する。この態様においては、計数手
段による計数値が閾値を上回った段階で（すなわち、所定数の画素の全部について階調値
の判定が完了していない段階であっても）第２モードが指定されるから、所定数の画素の
総てについて階調値の判定が完了するまでモードの指定が実行されない構成と比較して、
各発光素子の光量の補正を迅速に開始することが可能である。
【００１０】
本発明の第２の態様において、計数手段は、画像に含まれる所定数の画素のうち画像デ
ータによって指定される階調値が所定の範囲内にある画素（例えば以下の各実施形態にお
ける階調値「０」以外が指定された画素）の連続する個数を計数する。この態様によれば
、階調値が所定の範囲内にある画素の連続する個数に応じてモードが指定されるから、第
１の態様のように単に画素の個数が計数される構成と比較して、第１補正値による補正の
有無を画像の内容に応じていっそう適切に区別することが可能である。
より具体的な態様において、計数手段は、発光素子の点灯に対応した階調値が指定され
る画素の連続する個数を計数し（例えば図３のステップＳb1ないしステップＳb6）、指定
手段は、計数手段による計数値が閾値を上回る場合には第１モードを指定し（例えば図３
のステップＳb5）、計数手段による計数値が閾値を下回る場合には第２モードを指定する
（例えば図３のステップＳb7）。
さらに好適な態様において、計数手段は、所定数の画素の各々を順次に選択し（例えば
図３のステップＳb1）、この選択した画素について発光素子の点灯に対応した階調値が指
定された場合に計数値を増加し（例えば図３のステップＳb3）、指定手段は、計数手段に
よる計数値が閾値を上回った段階で第１モードを指定する。この態様においては、計数手
段による計数値が閾値を上回った段階で（すなわち、所定数の画素の全部について階調値
の判定が完了していない段階であっても）第１モードが指定されるから、所定数の画素の
総てについて階調値の判定が完了するまでモードの指定が実行されない構成と比較して、
各発光素子の光量の補正を迅速に開始することが可能である。
【００１１】
本発明においては、第１の態様と第２の態様とを組み合わせた構成も好適に採用される
。この態様においては、計数手段が、所定数の画素のうち発光素子の消灯に対応した階調
値が指定される画素の個数を計数する第１計数手段と、所定数の画素のうち発光素子の点
灯に対応した階調値が指定される画素の連続する個数を計数する第２計数手段とを含み、
指定手段は、第１計数手段による計数値と第１閾値との大小、および、第２計数手段によ
る計数値と第２閾値との大小に応じて、第１モードおよび第２モードの何れかを指定する
。この態様によれば、第１補正値による補正の有無をいっそう適切に区別することが可能
となる。
【００１２】
本発明の好適な態様において、計数手段は、画像を区分した複数の領域の各々について
、階調値が所定の範囲内にある画素の個数を計数し、指定手段は、複数の領域の各々につ
いて計数手段が計数した数値に基づいて、領域ごとに第１モードおよび第２モードの何れ
かを指定する。この構成においては、第１補正値に応じた補正の有無を画像の各領域ごと
に精緻に設定することが可能である。したがって、補正による各発光素子の光量の均一化
と補正に起因した各発光素子の劣化の抑制とを両立するという本発明の所期の効果はいっ
そう顕著となる。
さらに望ましい態様において、画像は、各発光素子に対応する複数の画素が第１方向（
例えば主走査方向）に配列されたラインを、第１方向に交差する第２方向（例えば副走査
方向）に配列してなり、複数の領域の各々は、所定数のラインごとに画像を区分した領域
である。この態様によれば、第１補正値に応じた補正の有無が所定数のラインごとに設定
されるから、例えばひとつのラインに属する各画素が各発光素子に対応する構成のもとで
、発光素子を駆動する処理が簡素化されるという利点がある。
【００１３】
本発明に係る発光装置は各種の電子機器に利用される。この電子機器の典型例は、本発
明の発光装置を露光装置（露光ヘッド）として利用した画像形成装置である。この画像形
成装置は、露光により像形成面に潜像が形成される像担持体（例えば図７の感光体ドラム
１１０）と、像形成面を露光する本発明の発光装置と、トナーなどの現像剤を潜像に付着
させることで顕像を形成する現像器とを含む。もっとも、本発明に係る発光装置の用途は
露光に限定されない。例えば、本発明の発光装置を各種の電子機器の表示装置として利用
することもできる。この種の電子機器としては例えばパーソナルコンピュータや携帯電話
機がある。また、液晶装置の背面側に配置されてこれを照明する装置（バックライト）や
、スキャナなどの画像読取装置に搭載されて原稿に光を照射する装置など各種の照明装置
としても本発明の発光装置を採用することができる。
【００１４】
本発明は、以上の各態様に係る発光装置に利用される画像処理装置としても特定される
。この画像処理装置（例えば図１のコントローラ３２）は、複数の発光素子の各々につい
て第１補正値を記憶する第１記憶手段（例えば図１のバッファ３２１）と、画像に含まれ
る所定数の画素のうち画像データによって指定される階調値が所定の範囲内にある画素の
個数を計数する計数手段（例えば図１の制御部３２５）と、計数手段による計数値と閾値
との大小に応じて第１モードおよび第２モードの何れかを指定する指定手段（図１の制御
部３２５）と、指定手段が第１モードを指定した場合に、所定数の画素の画像データを、
第１記憶手段に記憶された第１補正値に応じて補正してから発光装置に出力し、指定手段
が第２モードを指定した場合に、所定数の画素の画像データを、第１補正値に応じた補正
は実行することなく（ただし第１補正値以外の補正値に応じた補正の有無は不問）発光装
置に出力する補正手段（補正部３２７）とを具備する。この画像処理装置によっても、本
発明の発光装置と同様の作用および効果が奏される。なお、本発明の画像処理装置は、Ｄ
ＳＰ（Digital Signal Processor）などのハードウェアのみによって実現されてもよいし
、ＣＰＵ（Central Processing Unit）などのコンピュータとソフトウェアとの協働によ
って実現されてもよい。
【発明を実施するための最良の形態】
【００１５】
＜Ａ：第１実施形態＞
本発明の第１実施形態に係る発光装置の構成を説明する。この発光装置は、感光体ドラ
ムの露光によって潜像を形成するタイプの画像形成装置（印刷装置）において感光体ドラ
ムを露光するための露光装置として利用される。本実施形態においては、縦ｍ行×横ｎ列
に画素を配列した画像（潜像）が形成される場合を想定する（ｍおよびｎは自然数）。ひ
とつの画像のうち主走査方向（感光体ドラムの回転軸の方向）に配列するｎ個の画素の集
合を以下では「ライン」と表記する。
【００１６】
図１は、本実施形態に係る発光装置の構成を示すブロック図である。同図に示すように
、発光装置１０は、ヘッドモジュール２０と制御基板３０とを含む。ヘッドモジュール２
０は、所望の画像に応じた光線を感光体ドラムの表面に放射する手段であり、光ヘッド２
２と駆動回路２４とＲＯＭ２６とを含む。光ヘッド２２は、画像における１ラインの画素
数に相当するｎ個の発光素子Ｅが主走査方向に沿って配列された部分である。本実施形態
の発光素子Ｅは、有機ＥＬ（ElectroLuminescence）材料で形成された発光層が陽極と陰
極との間隙に介在するＯＬＥＤ素子であり、発光層に供給される駆動電流の電流値に応じ
た光量で発光する。
【００１７】
駆動回路２４は、各発光素子Ｅを画像データＧに応じた光量で発光させる手段である。
画像データＧは、各発光素子Ｅについて複数の階調の何れかを指定するデジタルデータで
ある。階調値「０」は発光素子Ｅの消灯（すなわち黒色）を指示し、それ以外の階調値（
「０」を越える階調値）はその階調値に応じた光量での発光素子Ｅの点灯を指示する。本
実施形態の駆動回路２４は、駆動電流のパルス幅を画像データＧに応じて制御することで
各発光素子Ｅの光量を制御する（パルス幅変調方式による階調制御）。このように各発光
素子Ｅの光量を制御しながら感光体ドラムを副走査方向に回転させることで、縦ｍ行×横
ｎ列の１ページ分の潜像が感光体ドラムの表面に形成される。
【００１８】
ところで、各発光素子Ｅの電気的または光学的な特性には様々な理由から誤差（バラツ
キ）が生じ得る。このような特性の誤差に起因した光量のバラツキを抑制するために、本
実施形態においては、発光素子Ｅの光量が補正値Ａaに基づいて補正される。補正値Ａaは
、各発光素子Ｅの特性に応じて発光素子Ｅごとに設定された数値である。より具体的には
、総ての発光素子Ｅに同じ階調値が指定されたとき（総ての発光素子Ｅに同じ電流値の駆
動電流が供給されたとき）の各々の実際の光量が測定され、この測定の結果（非補正時に
おける光量のバラツキ）に基づいて、総ての発光素子Ｅの光量が均一化されるように各補
正値Ａaが決定される。例えば、非補正時において光量が少ない発光素子Ｅの補正値Ａaほ
ど大きい数値に設定される。図１のＲＯＭ２６は、各々が別個の発光素子Ｅに対応するｎ
個の補正値Ａaを不揮発的に記憶する手段である。
【００１９】
制御基板３０には、コントローラ３２と２個のバッファ（３４１および３４２）とが実
装される。コントローラ３２は、ヘッドモジュール２０の動作を制御する手段であり、バ
ッファ３２１と入出力部３２３と制御部３２５と補正部３２７とを含む。なお、コントロ
ーラ３２を構成する各部は、ＤＳＰなどのハードウェアによって実現されてもよいし、Ｃ
ＰＵなどのコンピュータがプログラムを実行することによって実現されてもよい。
【００２０】
発光装置１０の電源が投入されると、各発光素子Ｅの駆動に先立って、ヘッドモジュー
ル２０のＲＯＭ２６から各発光素子Ｅの補正値Ａaがコントローラ３２に転送される。バ
ッファ３２１は、ＲＯＭ２６から転送されたｎ個の補正値Ａaを記憶する手段である。入
出力部３２３には、発光装置１０が搭載される画像形成装置のＣＰＵなど各種の上位装置
５０（ホストコンピュータ）から画像データＧが供給される。
【００２１】
バッファ３４１およびバッファ３４２は、画像の１ライン（１行）に属するｎ個の画素
の画像データＧを記憶する手段（ラインメモリ）である。入出力部３２３は、上位装置５
０から順次に供給される画像データＧをラインごとに交互にバッファ３４１およびバッフ
ァ３４２に書き込んでいく。奇数行に属するｎ個の画素の画像データＧはバッファ３４１
に書き込まれ、偶数行に属するｎ個の画素の画像データＧはバッファ３４２に書き込まれ
る。さらに、入出力部３２３は、バッファ３４１およびバッファ３４２から各ラインの画
像データＧを交互に読み出して制御部３２５に出力する。すなわち、入出力部３２３は、
バッファ３４１に対する奇数行の画像データＧの書込およびバッファ３４２からの偶数行
の画像データＧの読出と、バッファ３４１からの奇数行の画像データＧの読出およびバッ
ファ３４２に対する偶数行の画像データＧの書込とを、水平同期信号に同期したタイミン
グで交互に実行する。なお、入出力部３２３による画像データＧの読出の対象となるライ
ンを以下では特に「対象ライン」と表記する。画像を構成するｍ個のラインの各々は、副
走査方向に沿った配列の順番で順次に対象ラインとして選定される。
【００２２】
制御部３２５は、各発光素子Ｅの光量について実施される補正の態様（本実施形態では
補正の有無）を画像データＧの内容に応じて制御する手段である。さらに詳述すると、制
御部３２５は、第１に、対象ラインに属するｎ個の画素のうち画像データＧによって指定
される階調値が「０」である画素の個数を計数し、第２に、この計数値Ｃaと所定の閾値
ＴＨaとの大小に応じて第１モードおよび第２モードの何れかをラインごとに指定する。
第１モードは、対象ラインに属するｎ個の画素の画像データＧが補正値Ａaに基づいて補
正される動作モードである。これに対し、第２モードは、対象ラインに属する各画素の画
像データＧに対して補正が実行されない動作モードである。制御部３２５は、第１モード
および第２モードの何れかをラインごとに指定する補正管理信号Ｓを補正部３２７に出力
する。
【００２３】
図２は、制御部３２５の具体的な動作を説明するためのフローチャートである。同図の
処理は入出力部３２３からひとつの対象ラインの画像データＧが供給されるたびに（すな
わち水平同期信号に同期したタイミングで）実行される。制御部３２５は、まず、対象ラ
インに属するｎ個の画素のなかからひとつの画素（以下「注目画素」という）を選択する
（ステップＳa1）。本実施形態においては、第１列から第ｎ列までの各画素がこの配列の
順番でステップＳa1ごとに注目画素として選択される。
【００２４】
次いで、制御部３２５は、注目画素の階調値が「０」であるか否かを画像データＧに基
づいて判定する（ステップＳa2）。この判定の結果が肯定である場合（すなわち注目画素
の階調値が「０」である場合）、制御部３２５は、計数値Ｃaを「１」だけ増加させる（
ステップＳa3）。すなわち、制御部３２５は、階調値が「０」である画素の個数（計数値
Ｃa）を計数する手段として機能する。
【００２５】
次に、制御部３２５は、ステップＳa3における更新後の計数値Ｃaと閾値ＴＨaとを比較
し、計数値Ｃaが閾値ＴＨaを上回るか否かを判定する（ステップＳa4）。閾値ＴＨaは、
予め定められた数値である。より具体的には、ひとつのラインに属する画素数ｎの５０％
から６０％程度の数値（例えば画素数ｎが「5000」であれば「2500」から「3000」の範囲
内の数値）が閾値ＴＨaとして好適に採用される。ステップＳa4における判定の結果が肯
定である場合（すなわち計数値Ｃaが閾値ＴＨaを越えた場合）、制御部３２５は、対象ラ
インについて第２モードを指定する補正管理信号Ｓを対象ラインの画像データＧとともに
補正部３２７に出力する（ステップＳa5）。このように本実施形態においては、計数値Ｃ
aが閾値ＴＨaを越えると、未だ対象ラインの総ての画素が注目画素として選定されていな
い段階であっても、第２モードが指定されたうえで図２の処理が終了する。
【００２６】
ステップＳa2またはステップＳa4における判定の結果が否定である場合、制御部３２５
は、対象ラインの総て（ｎ個）の画素を注目画素として選択したか否かを判定する（ステ
ップＳa6）。この判定の結果が否定である場合、制御部３２５は、それまでとは異なる画
素を注目画素に選定したうえで（ステップＳa1）、新たな注目画素についてステップＳa2
からステップＳa4までの処理を実行する。すなわち、計数値Ｃaが閾値ＴＨaを上回らない
限り、対象ラインに属する総ての画素についてステップＳa2からステップＳa4の処理が繰
り返される。
【００２７】
ステップＳa6の判定の結果が肯定である場合、すなわち対象ラインの総ての画素のうち
階調値「０」を指定された個数が閾値ＴＨa以下である場合、制御部３２５は、対象ライ
ンについて第１モードを指定する補正管理信号Ｓを対象ラインの画像データＧとともに補
正部３２７に出力する（ステップＳa7）。以上のように、本実施形態の制御部３２５は、
計数値Ｃaと閾値ＴＨaとの大小に応じて第１モードおよび第２モードの何れかを指定する
手段として機能する。
【００２８】
図１の補正部３２７は、入出力部３２３から制御部３２５を経由して供給される対象ラ
インの画像データＧに対して補正管理信号Ｓに応じた処理を実行して出力する手段である
。補正管理信号Ｓによって第１モードが指定された場合、補正部３２７は、対象ラインに
属するｎ個の画素の画像データＧの各々とバッファ３２１に保持されたｎ個の補正値Ａa
の各々とを演算し、この演算後の画像データＧをヘッドモジュール２０に出力する。さら
に詳述すると、補正部３２７は、第ｊ列目（ｊは１≦ｊ≦を満たす自然数）の画素の画像
データＧと第ｊ列目の発光素子Ｅに対応する補正値Ａaとを加算し、この加算後の画像デ
ータＧを駆動回路２４に出力する。したがって、ひとつの画像のうち第１モードが指定さ
れたラインについては、補正値Ａaに応じて補正された光量にて各発光素子Ｅが発光する
ことで感光体ドラムの表面に潜像が形成される。
【００２９】
これに対し、補正管理信号Ｓによって第２モードが指定された場合、補正部３２７は、
制御部３２５から供給される１ライン分の画像データＧをそのまま（すなわち補正値Ａa
に応じた演算を実行することなく）駆動回路２４に出力する。したがって、ひとつの画像
のうち第２モードが指定されたラインについては、画像データＧのみに応じた光量（未補
正の光量）にて各発光素子Ｅが発光することで感光体ドラムの表面に潜像が形成される。
【００３０】
高画質での出力が要求されることが多い自然画などの画像においては階調値「０」の画
素が少ないという傾向がある。したがって、この種の画像を形成する場合には各発光素子
Ｅの特性のバラツキの影響が顕著となり得る。本実施形態においては、階調値「０」の画
素の個数が閾値ＴＨaを下回るライン（例えば自然画を含むライン）については各発光素
子Ｅの光量が補正値Ａaに応じて補正されるから、各発光素子Ｅの光量のバラツキを抑制
して高品位な画像を形成することができる。
【００３１】
一方、例えば白色の背景に文字や記号が配列された画像（以下「テキスト画像」という
）など、階調値「０」に対応する黒色の画素（すなわち発光素子Ｅが消灯する部分）が多
い画像においては、各発光素子Ｅの特性のバラツキが画質に与える影響は自然画の場合と
比較して小さい。本実施形態においては、階調値「０」の画素の個数が閾値ＴＨaを上回
るライン（例えばテキスト画像を含むライン）について各発光素子Ｅの光量の補正が実行
されない。したがって、本実施形態によれば、各発光素子の光量が均一化されるように選
定された補正値Ａaによる補正が画像の内容に拘わらず総ての画素について実行される構
成と比較して、光量の補正に起因した各発光素子Ｅの劣化を抑制することが可能である。
【００３２】
＜Ｂ：第２実施形態＞
次に、本発明の第２実施形態について説明する。
以上の第１実施形態においては、ひとつのラインのうち階調値「０」の画素の個数Ｃa
と閾値ＴＨaとの大小に応じて補正の有無が決定される構成を例示した。これに対し、本
実施形態においては、ひとつのラインのうち「０」以外の階調値が指定された画素の連続
する個数に応じて補正の有無（動作モード）が決定される構成となっている。なお、本実
施形態に係る発光装置１０の構成は第１実施形態（図１）と同様である。そこで、以下で
は制御部３２５の処理の内容を重点的に説明し、第１実施形態と共通する部分については
適宜に説明を省略する。
【００３３】
図３は、１ライン分の画像データＧの供給を契機として制御部３２５が実行する処理の
具体的な内容を示すフローチャートである。同図に示すように、制御部３２５はまず、対
象ラインの何れかの画素を注目画素として選択する（ステップＳb1）。次いで、制御部３
２５は、注目画素の階調値が、その直前に注目画素として選択されていた画素の階調値か
ら連続して「０」以外の数値であるか否かを判定する（ステップＳb2）。この判定の結果
が肯定である場合、制御部３２５は、計数値Ｃbを「１」だけ増加させる（ステップＳb3
）。すなわち、本実施形態の制御部３２５は、「０」以外の階調値を指定された画素が主
走査方向に連続する個数（計数値Ｃb）を計数する手段として機能する。
【００３４】
次に、制御部３２５は、ステップＳb3における更新後の計数値Ｃbと予め定められた閾
値ＴＨbとを比較し、計数値Ｃbが閾値ＴＨbを上回るか否かを判定する（ステップＳb4）
。ステップＳb4における判定の結果が肯定である場合、すなわち「０」以外の階調値を指
定された画素が対象ラインにおいて閾値ＴＨbを越える個数だけ連続する場合、制御部３
２５は、対象ラインについて第１モードを指定する補正管理信号Ｓを対象ラインの画像デ
ータＧとともに補正部３２７に出力する（ステップＳb5）。一方、計数値Ｃbが閾値ＴＨb
を上回らない場合には、第１実施形態と同様に、対象ラインに属する総ての画素について
ステップＳb1からステップＳb4までの処理が繰り返される（ステップＳb6：No）。
【００３５】
計数値Ｃbが閾値ＴＨbを上回らないまま対象ラインの総ての画素について以上の処理が
完了すると（ステップＳb6：Yes）、制御部３２５は、対象ラインについて第２モードを
指定する補正管理信号Ｓを対象ラインの画像データＧとともに補正部３２７に出力する（
ステップＳb7）。その他の各部の動作は第１実施形態と同様である。
【００３６】
以上に説明したように、本実施形態においても、画像の内容に応じて各発光素子Ｅの光
量の補正の有無が選定されるから、第１実施形態と同様の効果が奏される。さらに、本実
施形態においては、「０」以外の階調値の画素が連続する個数Ｃbと閾値ＴＨbとの大小に
応じて動作モードが決定されるから、第１実施形態と比較して、各発光素子Ｅの光量の補
正の有無を画像の内容に応じて適切に決定できるという利点がある。この効果について詳
述すると以下の通りである。
【００３７】
いま、図４に示すように、白色を背景としたページの右半分に自然画Ｇ1が配置された
画像Ｇ0を想定する。画像Ｇ0を構成する各ラインＬのうち左半分の白色の領域に属する画
素の個数が閾値ＴＨaを上回るとすれば、第１実施形態においては各ラインＬについて第
２モードが指定されるから、これらのラインＬの形成に際して各発光素子Ｅの光量は補正
されない。したがって、実際に形成される画像Ｇ0のうち自然画Ｇ1の部分は各発光素子Ｅ
の特性のバラツキの影響を受ける。
【００３８】
これに対し、本実施形態においては、各ラインＬのうち自然画Ｇ1の領域に属する画素
の個数が閾値ＴＨbを上回るとすれば、左半分の白色の領域に属する画素の個数に拘わら
ず、これらのラインＬの形成に際して各発光素子Ｅの光量は補正値Ａaに応じて補正され
る。以上のように、本実施形態によれば、白色の領域とそれ以外の領域（自然画Ｇ1の領
域）とが主走査方向に隣接するような画像Ｇ0についても適切に補正して高品位な画像を
出力することができる。もっとも、第１実施形態の構成によれば、計数値Ｃaの算定に際
して階調値が「０」か否かを判定すれば足りるから、「０」以外の階調値の画素が連続す
る個数が算定される本実施形態と比較して、制御部３２５による処理が簡素化されるとい
う利点がある。
【００３９】
＜Ｃ：第３実施形態＞
次に、本発明の第３実施形態について説明する。
以上の各形態においては、第２モードが指定された場合に各発光素子Ｅの光量が補正さ
れない構成を例示した。これに対し、本実施形態においては、第２モードが指定されると
、第１モードとは相違する態様にて各発光素子Ｅの光量が補正される構成となっている。
なお、本実施形態のうち第１実施形態と同様の要素については図１と同一の符号を付して
その詳細な説明を適宜に省略する。本実施形態における制御部３２５が動作モードを決定
する動作は、第１実施形態（図２）や第２実施形態（図３）と同様である。
【００４０】
図５は、本実施形態に係る発光装置１０の構成を示すブロック図である。同図に示すよ
うに、本実施形態の発光装置１０は、以上の各形態に係る要素に加えてバッファ３２２を
具備する。バッファ３２２には、各々が別個の発光素子Ｅに対応するｎ個の補正値Ａbが
記憶される。各補正値Ａbは、補正値Ａaとともにヘッドモジュール２０のＲＯＭ２６に予
め記憶され、補正値Ａaと同様に、各発光素子Ｅの駆動に先立ってバッファ３２２に転送
される。なお、補正値Ａaと補正値Ａbとの関係については後述する。
【００４１】
以上の構成において制御部３２５によって第１モードが指定されると、補正部３２７は
、第１実施形態と同様に、バッファ３２１に記憶された補正値Ａaと制御部３２５から供
給される対象ラインの画像データＧとを加算したうえで駆動回路２４に出力する。さらに
、本実施形態の補正部３２７は、制御部３２５によって第２モードが指定されると、バッ
ファ３２２に記憶された補正値Ａbと制御部３２５から供給される対象ラインの画像デー
タＧとを加算したうえで駆動回路２４に出力する。以上のように、本実施形態においては
、第１モードが指定されたラインの形成に際して各発光素子Ｅの光量が補正値Ａaに応じ
て補正されるだけでなく、第２モードが指定されたラインの形成に際しても、各発光素子
Ｅの光量が補正値Ａbに応じて補正される。したがって、本実施形態によれば、テキスト
画像のように白色の画素が多い画像についても、第１実施形態や第２実施形態と比較して
、各発光素子Ｅの特性のバラツキの影響を抑制して高い画質を維持することができる。
【００４２】
次に、補正値Ａaおよび補正値Ａbの関係について説明する。図６の部分(a)は、各発光
素子Ｅの主走査方向における位置（横軸）と各々に同じ階調が指定されたときの各発光素
子Ｅの実際の光量（縦軸）との関係を示すグラフである。同図においては、各発光素子Ｅ
の特性のバラツキに起因して、光ヘッド２２のうち主走査方向の中央部の発光素子Ｅの光
量が両端部の各発光素子Ｅの光量よりも多い場合が想定されている。
【００４３】
図６の部分(b1)は、各発光素子Ｅの位置と補正値Ａaとの関係を示すグラフである。ま
た、図６の部分(b2)には、第１モードで補正値Ａaに基づいて補正された各発光素子Ｅの
光量が図示されている。図６の部分(b1)および部分(b2)に示すように、補正値Ａaに応じ
た補正によって各発光素子Ｅの光量が略均一化されるように（より厳密には範囲Ｒ1内に
収まるように）、各補正値Ａaは選定される。
【００４４】
図６の部分(c1)は、各発光素子Ｅの位置と補正値Ａbとの関係を示すグラフである。ま
た、図６の部分(c2)には、第２モードで補正値Ａbに基づいて補正された各発光素子Ｅの
光量の分布が図示されている。図６の部分(c1)および部分(c2)に示すように、各補正値Ａ
bは、補正値Ａaと同様に、各発光素子Ｅの実際の光量のバラツキが未補正時（図６の部分
(a)）と比較して抑制されるように選定される。ただし、各発光素子Ｅの補正値Ａbはこの
発光素子Ｅの補正値Ａaよりも小さい数値に選定されている。したがって、図６の部分(c2
)に示すように、補正値Ａbに応じた補正後の各発光素子Ｅの光量は完全には均一化されな
い。すなわち、本実施形態においては、第２モードによる駆動時において各発光素子Ｅの
光量（補正値Ａbによって補正された光量）の分布する範囲（部分(c2)の範囲Ｒ2）が、第
１モードによる駆動時において各発光素子Ｅの光量（補正値Ａaによって補正された光量
）が分布する範囲（部分(b2)の範囲Ｒ1）よりも広くなるように、補正値Ａaおよび補正値
Ａbが各発光素子Ｅの光量のバラツキに応じて選定されている。
【００４５】
以上に説明したように、第２モードが指定されたラインについては、第１モードが指定
された場合と比較して各発光素子Ｅの光量が緩やかに補正される。したがって、各発光素
子Ｅの光量が均一化されるように選定された補正値Ａaが画像の内容に拘わらず総てのラ
インに適用される構成と比較して、各発光素子Ｅの特性の劣化を抑制することができる。
【００４６】
＜Ｄ：変形例＞
以上の各形態には様々な変形を加えることができる。具体的な変形の態様を例示すれば
以下の通りである。なお、以下の各態様を適宜に組み合わせてもよい。なお、以下では補
正値Ａaと補正値Ａbとを総称して「補正値Ａ」と表記する。
【００４７】
（１）変形例１  
以上に説明した各形態を組み合わせた構成も採用される。例えば、制御部３２５が、第
１実施形態の計数値Ｃaと第２実施形態の計数値Ｃbとを計数し、計数値Ｃaと閾値ＴＨaと
の大小および計数値Ｃbと閾値ＴＨbとの大小に応じて第１モードおよび第２モードの何れ
かを指定する構成も採用される。より具体的には、図２のステップＳa4における判定の結
果が肯定である場合（すなわち階調値「０」の画素の個数Ｃaが閾値ＴＨaを越えた場合）
、制御部３２５は、その段階では動作モードを確定せずに、ステップＳa4に続いて図３の
処理を開始する。この構成によれば、計数値Ｃaと閾値ＴＨaとの大小だけでなく計数値Ｃ
bと閾値ＴＨbとの大小も考慮して動作モードが決定されるから、例えば図４のような画像
についても各発光素子Ｅの光量を適切に補正することができる。一方、図２のステップＳ
a6の判定が肯定される場合、制御部３２５は、対象ラインについて第１モードを指定する
（ステップＳa7）。この場合には図３の処理を不要とすることができるから、制御部３２
５の処理の負担が軽減されるという利点がある。
【００４８】
（２）変形例２  
以上の各形態においては、補正値Ａ（ＡaまたはＡb）を記憶するＲＯＭ２６がヘッドモ
ジュール２０に実装された構成を例示したが、補正値Ａがコントローラ３２に予め保持さ
れた構成としてもよい。なお、補正値Ａは各発光素子Ｅの特性に応じた数値であるから、
コントローラ３２に補正値Ａが保持された発光装置１０を量産する場合には、ヘッドモジ
ュール２０とコントローラ３２との対応を発光装置１０ごとに厳格に管理する必要がある
。これに対し、補正値Ａがヘッドモジュール２０に記憶された以上の各形態においては、
発光装置１０ごとに各発光素子Ｅの特性が相違する場合であっても、総ての発光装置１０
について共通のコントローラ３２を採用することが可能である。これによってヘッドモジ
ュール２０とコントローラ３２との対応の管理が不要となるから、発光装置１０の製造工
程が簡素化されるという利点がある。
【００４９】
（３）変形例３  
以上の各形態においては、ひとつのラインを単位として動作モードが決定される構成を
例示したが、ひとつの画像のうち動作モードを決定する対象となる範囲は任意に変更され
る。例えば、複数のラインを単位として計数値Ｃaまたは計数値Ｃbの算定や動作モードの
指定が実行される構成も採用される。また、例えばひとつの画像の全体を対象として計数
値Ｃaまたは計数値Ｃbの算定や動作モードの指定が実行される構成としてもよい。例えば
、第１実施形態においては、１ページの画像を構成する総ての画素のうち階調値「０」の
画素の個数を計数値Ｃaとして算定してもよい。第２実施形態の計数値Ｃbについても同様
である。この構成においては、１ページの画像の全体について第１モードおよび第２モー
ドの何れかが選択的に指定される。
【００５０】
（４）変形例４  
以上の各形態においては、画像データＧに応じたパルス幅の駆動電流が各発光素子Ｅに
供給される構成を例示した。この構成においては、駆動電流のパルス幅が補正値Ａに応じ
て補正されると言える。しかしながら、本発明において画像データＧに応じて制御される
対象はパルス幅に限定されない。例えば、各発光素子Ｅに供給される駆動電流の電流値が
画像データＧに応じて制御される構成や、各発光素子Ｅに印加される電圧（以下「駆動電
圧」という）の電圧値が画像データＧに応じて制御される構成も採用される。換言すると
、駆動電流の電流値や駆動電圧の電圧値が補正値Ａに応じて補正される構成としてもよい
。
【００５１】
（５）変形例５  
以上の各形態においては感光体ドラムの露光に利用される発光装置１０を例示したが、
各種の画像を表示する装置としても本発明の発光装置１０を採用することができる。表示
装置として利用される発光装置においては、複数の発光素子Ｅが行方向および列方向にわ
たってマトリクス状に配列されるとともに、各行の発光素子Ｅを順次に選択する選択回路
（走査線駆動回路）が配置される。そして、選択回路による選択行の各発光素子Ｅに駆動
回路２４から駆動電流が供給されることで各発光素子Ｅが画像データＧに応じた光量で発
光する。
【００５２】
（６）変形例６  
第１実施形態においては、ひとつのラインの第１列から第ｎ列に向かう順番に各画素が
注目画素として選定される構成を例示したが、計数値Ｃaを算定するときの画素の選択の
順番は任意である。例えば、第ｎ列から第１列に向かう順番に各画素が注目画素として選
択される構成も採用される。また、例えば、ひとつのラインに属するｎ個の画素をＮ個（
Ｎは２以上の自然数）のブロックに区分し、各ブロックから順番にひとつの画素を選択す
る構成としてもよい。例えば、第１番目のブロックに属する第１列目の画素→第２番目の
ブロックに属する第１列目の画素→……→第Ｎ番目のブロックに属する第１列目の画素→
第１番目のブロックに属する第２列目の画素→第２番目のブロックに属する第２列目の画
素→……といった具合である。また、各画素が選択される方向をブロックごとに相違させ
てもよい。例えば、奇数番目の各ブロックについては第１列目から第ｎ列目に向かう方向
に各画素を選択し、偶数番目の各ブロックについては第ｎ列目から第１列目に向かう方向
に各画素を選択するといった具合である。
【００５３】
（７）変形例７  
第１実施形態においては階調値「０」の画素の個数Ｃaが計数される構成を例示し、第
２実施形態においては「０」以外の階調値が指定された画素の連続する個数Ｃbが計数さ
れる構成を例示したが、各形態において計数の対象となる画素の階調値の範囲は適宜に変
更される。例えば、第１実施形態においては、「０」以外の階調値が指定された画素の個
数ＣaをステップＳa2にて計数し、この計数値Ｃaが閾値ＴＨaよりも小さい場合（すなわ
ち階調値「０」の指定された画素の個数が多い場合）に第２モードが指定される（ステッ
プＳa5）構成も採用される。あるいは、「０」を含む所定の範囲内の階調値（黒色を含む
低階調）が指定された画素の個数を計数してもよい。同様に、第２実施形態においては、
階調値「０」を指定された画素の連続する個数Ｃbが計数される構成としてもよいし、「
０」を含む所定の範囲内の階調値が指定された画素の個数を計数してもよい。すなわち、
階調値が所定の範囲内にある画素の個数を計数する構成であれば足り、本発明においてそ
の階調値の範囲の如何は不問である。
【００５４】
（８）変形例８  
以上の形態においては発光素子ＥとしてＯＬＥＤ素子を例示したが、本発明の発光装置
に採用される発光素子はこれに限定されない。例えば、ＯＬＥＤ素子に代えて、無機ＥＬ
素子や発光ダイオード素子、電解放出（ＦＥ：Field  Emission）素子、表面導電型電子
放出（ＳＥ：Surface-conduction  Electron-emission）素子、弾道電子放出（ＢＳ：Bal
listic  electron  Surface  emission）素子など様々な発光素子を利用した発光装置に
も、以上の各形態と同様に本発明を適用することができる。
【００５５】
＜Ｅ：電子機器＞
次に、本発明に係る電子機器の具体例を説明する。
図７は、以上の各形態に係る発光装置を利用した画像形成装置の構成を示す断面図であ
る。画像形成装置は、タンデム型のフルカラー画像形成装置であり、以上の各形態に係る
４個の発光装置１０（１０Ｋ，１０Ｃ，１０Ｍ，１０Ｙ）と、各発光装置１０に対応する
４個の感光体ドラム１１０（１１０Ｋ，１１０Ｃ，１１０Ｍ，１１０Ｙ）とを具備する。
ひとつの発光装置１０は、これに対応する感光体ドラム１１０の像形成面（外周面）と対
向するように配置される。なお、各符号の添字「Ｋ」「Ｃ」「Ｍ」「Ｙ」は、黒（Ｋ）、
シアン（Ｃ）、マゼンダ（Ｍ）、イエロー（Ｙ）の各顕像の形成に利用されることを意味
している。
【００５６】
図７に示すように、駆動ローラ１２１と従動ローラ１２２とには無端の中間転写ベルト
１２０が巻回される。４個の感光体ドラム１１０は、相互に所定の間隔をあけて中間転写
ベルトの周囲に配置される。各感光体ドラム１１０は、中間転写ベルト１２０の駆動に同
期して回転する。
【００５７】
各感光体ドラム１１０の周囲には、発光装置１０のほかにコロナ帯電器１１１（１１１
Ｋ，１１１Ｃ，１１１Ｍ，１１１Ｙ）と現像器１１４（１１４Ｋ，１１４Ｃ，１１４Ｍ，
１１４Ｙ）とが配置される。コロナ帯電器１１１は、これに対応する感光体ドラム１１０
の像形成面を一様に帯電させる。この帯電した像形成面を各発光装置１０が画像データＧ
に応じて露光することで静電潜像が形成される。各現像器１１４は、静電潜像に現像剤（
トナー）を付着させることで感光体ドラム１１０に顕像（可視像）を形成する。
【００５８】
以上のように感光体ドラム１１０に形成された各色（黒・シアン・マゼンタ・イエロー
）の顕像が中間転写ベルト１２０の表面に順次に転写（一次転写）されることでフルカラ
ーの顕像が形成される。中間転写ベルト１２０の内側には４個の一次転写コロトロン（転
写器）１１２（１１２Ｋ，１１２Ｃ，１１２Ｍ，１１２Ｙ）が配置される。各一次転写コ
ロトロン１１２は、これに対応する感光体ドラム１１０から顕像を静電的に吸引すること
によって、感光体ドラム１１０と一次転写コロトロン１１２との間隙を通過する中間転写
ベルト１２０に顕像を転写する。
【００５９】
シート（記録材）１０２は、ピックアップローラ１０３によって給紙カセット１０１か
ら１枚ずつ給送され、中間転写ベルト１２０と二次転写ローラ１２６との間のニップに搬
送される。中間転写ベルト１２０の表面に形成されたフルカラーの顕像は、二次転写ロー
ラ１２６によってシート１０２の片面に転写（二次転写）され、定着ローラ対１２７を通
過することでシート１０２に定着される。排紙ローラ対１２８は、以上の工程を経て顕像
が定着されたシート１０２を排出する。
【００６０】
以上に例示した画像形成装置は、ＯＬＥＤ素子を光源（露光手段）として利用している
ので、レーザ走査光学系を利用した構成よりも装置が小型化される。なお、以上に例示し
た以外の構成の画像形成装置にも本発明を適用することができる。例えば、ロータリ現像
式の画像形成装置や、中間転写ベルトを使用せずに感光体ドラムからシートに対して直接
的に顕像を転写するタイプの画像形成装置、あるいはモノクロの画像を形成する画像形成
装置にも本発明に係る発光装置を利用することが可能である。
【００６１】
なお、本発明に係る発光装置の用途は感光体の露光に限定されない。例えば、本発明の
発光装置は、原稿などの読取対象に光を照射するライン型の光ヘッド（照明装置）として
画像読取装置に採用される。この種の画像読取装置としては、スキャナ、複写機やファク
シミリの読取部分、バーコードリーダ、あるいはＱＲコード（登録商標）のような二次元
画像コードを読む二次元画像コードリーダがある。また、複数の発光素子を面状に配列し
た発光装置は、液晶パネルの背面側に配置されるバックライトユニットとしても採用され
る。
【００６２】
本発明の発光装置は、各種の電子機器の表示装置としても利用される。本発明の発光装
置が適用される電子機器としては、例えば、可搬型のパーソナルコンピュータ、携帯電話
機、携帯情報端末（ＰＤＡ：Personal Digital Assistants）、デジタルスチルカメラ、
テレビ、ビデオカメラ、カーナビゲーション装置、ページャ、電子手帳、電子ペーパー、
電卓、ワードプロセッサ、ワークステーション、テレビ電話、ＰＯＳ端末、プリンタ、ス
キャナ、複写機、ビデオプレーヤ、タッチパネルを備えた機器等が挙げられる。
【図面の簡単な説明】
【００６３】
【図１】本発明の第１実施形態に係る発光装置の構成を示すブロック図である。
【図２】制御部の動作を示すフローチャートである。
【図３】第２実施形態における制御部の動作を示すフローチャートである。
【図４】自然画が配置された画像を例示する概念図である。
【図５】第３実施形態に係る発光装置の構成を示すブロック図である。
【図６】各発光素子の光量の分布と補正値Ａaおよび補正値Ａbとの関係を示す概念図である。
【図７】本発明に係る電子機器（画像形成装置）の具体的な形態を示す断面図である。
【符号の説明】
【００６４】
１０……発光装置、２０……ヘッドモジュール、２２……光ヘッド、Ｅ……発光素子、２
４……駆動回路、２６……ＲＯＭ、３０……制御基板、３２……コントローラ、３２１，
３２２，３４１，３４２……バッファ、３２３……入出力部、３２５……制御部、３２７
……補正部、Ａa，Ａb……補正値、Ｇ……画像データ、Ｓ……補正管理信号、５０……上
位装置。
【図１】
2007196547.tif 000003
【図２】
2007196547.tif 000004
【図３】
2007196547.tif 000005
【図４】
2007196547.tif 000006
【図５】
2007196547.tif 000007
【図６】
2007196547.tif 000008
【図７】
2007196547.tif 000009